(57)【特許請求の範囲】
【請求項１】
第１貨幣処理装置で処理された複数取引分の貨幣を識別計数する第２貨幣処理装置と、
前記第１貨幣処理装置で処理された前記複数取引分の貨幣に関する貨幣情報と、前記第２貨幣処理装置で前記複数取引分の貨幣を識別計数して得られた識別計数結果とに基づいて、前記第２貨幣処理装置で識別計数した前記複数取引分の貨幣が、前記第１貨幣処理装置で処理された前記複数取引分の貨幣と一致するとみなせるか否かを判定する判定部と
を備え、
前記貨幣情報は、
各貨幣を特定する貨幣特定情報を複数含むとともに、前記各貨幣が属する取引を特定する取引特定情報を複数含み、
同一データとして、異なる前記取引特定情報単位で、異なる貨幣の貨幣特定情報が前記取引特定情報を介して互いに関連付けられている情報である
ことを特徴とする貨幣処理システム。
【請求項２】
前記貨幣特定情報は貨幣が有する記番号を含み、
前記取引特定情報は取引を特定するための取引ＩＤを含み、
前記貨幣情報は、前記同一データとして、異なる前記取引ＩＤ単位で、異なる貨幣の記番号が前記取引ＩＤを介して互いに関連付けられている情報である
ことを特徴とする請求項１に記載の貨幣処理システム。
【請求項３】
前記判定部は、
前記貨幣情報に基づいて得られた前記複数取引分の貨幣の合計金額と、前記第２貨幣処理装置で識別計数して得られた貨幣の合計金額とを比較する合計比較処理により前記判定を行うか、又は、
前記貨幣情報に基づいて得られた前記複数取引分の貨幣の合計枚数と、前記第２貨幣処理装置で識別計数して得られた貨幣の合計枚数とを比較する合計比較処理により前記判定を行う
ことを特徴とする請求項１又は２に記載の貨幣処理システム。
【請求項４】
前記第２貨幣処理装置は、前記第１貨幣処理装置で処理された各貨幣の記番号を取得して、
前記判定部は、前記第２貨幣処理装置で取得した各貨幣の記番号と、前記貨幣情報に含まれる記番号とを比較する記番号比較処理により前記判定を行う
ことを特徴とする請求項１〜３のいずれか１項に記載の貨幣処理システム。
【請求項５】
前記判定部は、前記合計比較処理の結果、両者が一致しない場合には、前記第２貨幣処理装置で取得した各貨幣の記番号と、前記貨幣情報に含まれる記番号とを比較する記番号比較処理を行う
ことを特徴とする請求項３に記載の貨幣処理システム。
【請求項６】
前記判定部は、前記貨幣情報に含まれる記番号と、前記第２貨幣処理装置で取得した記番号との間で一致しない記番号を特定すると共に、該記番号の貨幣が属する取引を特定することを特徴とする請求項５に記載の貨幣処理システム。
【請求項７】
前記判定部は、前記貨幣情報に含まれる記番号と、前記第２貨幣処理装置で取得した記番号との間で一致しない記番号を特定すると共に、該記番号の貨幣に関する情報を報知することを特徴とする請求項５又は６に記載の貨幣処理システム。
【請求項８】
複数取引分の貨幣を識別計数する貨幣処理部と、
予め作成されている前記複数取引分の貨幣に関する貨幣情報を取得して、該貨幣情報と、前記貨幣処理部で前記複数取引分の貨幣を識別計数して得られた識別計数結果とに基づいて、前記貨幣処理部で処理された前記複数取引分の貨幣が、前記貨幣情報に関する貨幣と一致するか否かを判定する判定部と
を備え、
前記貨幣情報は、
各貨幣を特定する貨幣特定情報を複数含むとともに、前記各貨幣が属する取引を特定する取引特定情報を複数含み、
同一データとして、異なる前記取引特定情報単位で、異なる貨幣の貨幣特定情報が前記取引特定情報を介して互いに関連付けられている情報である
ことを特徴とする貨幣処理システム。
【請求項９】
前記判定部は、前記貨幣情報に基づいて得られた前記複数取引分の貨幣の合計金額と、前記貨幣処理部で識別計数して得られた貨幣の合計金額とを比較する合計比較処理により前記判定を行うことを特徴とする請求項８に記載の貨幣処理システム。
【請求項１０】
前記判定部は、前記合計比較処理の結果、両者が一致しない場合にのみ、前記貨幣処理部で取得した各貨幣の記番号と、前記貨幣情報に含まれる記番号とを比較する記番号比較処理を行うことを特徴とする請求項９に記載の貨幣処理システム。
【請求項１１】
第１貨幣処理装置で複数取引分の貨幣を処理し、各貨幣を特定する貨幣特定情報を複数含むとともに、前記各貨幣が属する取引を特定する取引特定情報を複数含み、同一データとして、異なる前記取引特定情報単位で、異なる貨幣の貨幣特定情報が前記取引特定情報を介して互いに関連付けられている貨幣情報を生成する情報生成工程と、
前記貨幣情報と、前記第１貨幣処理装置で処理された前記複数取引分の貨幣を第２貨幣処理装置で識別計数して得られた貨幣の識別計数結果とに基づいて、前記第２貨幣処理装置で識別計数した前記複数取引分の貨幣が、前記第１貨幣処理装置で処理された前記複数取引分の貨幣と一致するとみなせるか否かを判定する判定工程と
を含んだことを特徴とする貨幣処理方法。
【請求項１２】
前記貨幣特定情報は貨幣が有する記番号を含み、
前記取引特定情報は取引を特定するための取引ＩＤを含み、
前記情報生成工程は、前記同一データとして、異なる前記取引ＩＤ単位で、異なる貨幣の記番号が前記取引ＩＤを介して互いに関連付けられている前記貨幣情報を生成する工程である
ことを特徴とする請求項１１に記載の貨幣処理方法。
【発明の詳細な説明】
【技術分野】
【０００１】
この発明は、金融機関や商業施設の店舗等で回収した貨幣を処理する貨幣処理システム及び貨幣処理方法に関する。
【背景技術】
【０００２】
従来、銀行の支店、小売店等の店舗で現金を回収して、現金回収センターと呼ばれる拠点へ移送して管理する運用が行われている。例えば、小売店では、営業時間の終了後に、当日の売上金を現金回収センターへ移送するため、複数のキャッシュレジスタ（以下「レジ」と記載する）から回収した紙幣を、バックオフィスに設置された紙幣処理装置で識別計数する入金処理が行われる。このとき、入金された紙幣をレジ単位で区別するために、ヘッダカードと呼ばれる仕切カードを利用する。複数のレジから回収した紙幣を、ヘッダカードでレジ単位に仕切った状態でまとめて現金回収センターへ移送する。現金回収センターでは、ヘッダカードによって仕切られた一まとめの紙幣を、紙幣処理装置の入金口に載置して入金する。
【０００３】
特許文献１には、バーコードを印刷したヘッダカードを利用して、取引毎の紙幣を区別しながら連続して処理することができる紙葉類処理装置が開示されている。例えば、移送元となる店舗では、各レジから回収した紙幣の入金を一取引として、入金処理を終えた各取引の紙幣にヘッダカードを付す。そして、ヘッダカードが付された紙幣の移送先となる現金回収センターでは、特許文献１に開示された装置を利用することにより、店舗から移送された複数取引分の紙幣を、ヘッダカードによって取引毎に区別しながら、連続して処理することができる。特許文献１に開示された装置では、各ヘッダカードに、取引に関する情報を印刷することができるので、連続して処理される紙幣をヘッダカードによって取引毎に区別すると共に、紙幣を識別計数したデータをヘッダカードから取得した情報に基づいて管理することができる。
【先行技術文献】
【特許文献】
【０００４】
【特許文献１】特開２００２−３３４３６２号公報
【発明の概要】
【発明が解決しようとする課題】
【０００５】
しかしながら、上記従来技術では、取引毎にヘッダカードを準備して、各取引の紙幣の先頭に挿入する作業が必要となり手間がかかる。また、ヘッダカードを利用した処理を終えると、不要になったヘッダカードを回収する作業も必要となる。
【０００６】
また、移送先でヘッダカードによって取引毎に紙幣を区別するためには、移送元でヘッダカードを付して取引毎に区別した紙幣を、移送先での処理を終えるまでの間、異なる取引間で紙幣が混ざることがないように管理する必要がある。このため、例えば、一取引分の紙幣及びヘッダカードを１つの封筒に収めて、取引間で紙幣が混ざらないように管理するといった煩雑な作業が必要となっていた。
【０００７】
本発明は、上述した従来技術による問題点を解消するためになされたもので、金融機関や商業施設の店舗等で回収して現金回収センター等に移送する貨幣を容易に処理することができる貨幣処理システム及び貨幣処理方法を提供することを目的とする。
【課題を解決するための手段】
【０００８】
上述した課題を解決し、目的を達成するため、本発明は、貨幣処理システムであって、第１貨幣処理装置で処理された複数取引分の貨幣を識別計数する第２貨幣処理装置と、前記第１貨幣処理装置で処理された前記複数取引分の貨幣に関する貨幣情報と、前記第２貨幣処理装置で前記複数取引分の貨幣を識別計数して得られた識別計数結果とに基づいて、前記第２貨幣処理装置で識別計数した前記複数取引分の貨幣が、前記第１貨幣処理装置で処理された前記複数取引分の貨幣と一致するとみなせるか否かを判定する判定部とを備え、前記貨幣情報は、各貨幣を特定する貨幣特定情報を複数含むとともに、前記各貨幣が属する取引を特定する取引特定情報を複数含み、同一データとして、異なる前記取引特定情報単位で、異なる貨幣の貨幣特定情報が前記取引特定情報を介して互いに関連付けられている情報であることを特徴とする。
また、本発明は、上記発明において、前記貨幣特定情報は貨幣が有する記番号を含み、前記取引特定情報は取引を特定するための取引ＩＤを含み、前記貨幣情報は、前記同一データとして、異なる前記取引ＩＤ単位で、異なる貨幣の記番号が前記取引ＩＤを介して互いに関連付けられている情報であることを特徴とする。
【０００９】
また、本発明は、上記発明において、前記判定部は、前記貨幣情報に基づいて得られた前記複数取引分の貨幣の合計金額と、前記第２貨幣処理装置で識別計数して得られた貨幣の合計金額とを比較する合計比較処理により前記判定を行うか、又は、前記貨幣情報に基づいて得られた前記複数取引分の貨幣の合計枚数と、前記第２貨幣処理装置で識別計数して得られた貨幣の合計枚数とを比較する合計比較処理により前記判定を行うことを特徴とする。
【００１１】
また、本発明は、上記発明において、前記第２貨幣処理装置は、前記第１貨幣処理装置で処理された各貨幣の記番号を取得して、前記判定部は、前記第２貨幣処理装置で取得した各貨幣の記番号と、前記貨幣情報に含まれる記番号とを比較する記番号比較処理により前記判定を行うことを特徴とする。
【００１２】
また、本発明は、上記発明において、前記判定部は、前記合計比較処理の結果、両者が一致しない場合には、前記第２貨幣処理装置で取得した各貨幣の記番号と、前記貨幣情報に含まれる記番号とを比較する記番号比較処理を行う
ことを特徴とする。
【００１３】
また、本発明は、上記発明において、前記判定部は、前記貨幣情報に含まれる記番号と、前記第２貨幣処理装置で取得した記番号との間で一致しない記番号を特定すると共に、該記番号の貨幣が属する取引を特定することを特徴とする。
【００１４】
また、本発明は、上記発明において、前記判定部は、前記貨幣情報に含まれる記番号と、前記第２貨幣処理装置で取得した記番号との間で一致しない記番号を特定すると共に、該記番号の貨幣に関する情報を報知することを特徴とする。
【００１５】
また、本発明は、貨幣処理システムであって、複数取引分の貨幣を識別計数する貨幣処理部と、予め作成されている前記複数取引分の貨幣に関する貨幣情報を取得して、該貨幣情報と、前記貨幣処理部で前記複数取引分の貨幣を識別計数して得られた識別計数結果とに基づいて、前記貨幣処理部で処理された前記複数取引分の貨幣が、前記貨幣情報に関する貨幣と一致するか否かを判定する判定部とを備え、前記貨幣情報は、各貨幣を特定する貨幣特定情報を複数含むとともに、前記各貨幣が属する取引を特定する取引特定情報を複数含み、同一データとして、異なる前記取引特定情報単位で、異なる貨幣の貨幣特定情報が前記取引特定情報を介して互いに関連付けられている情報であることを特徴とする。
【００１６】
また、本発明は、上記発明において、前記判定部は、前記貨幣情報に基づいて得られた前記複数取引分の貨幣の合計金額と、前記貨幣処理部で識別計数して得られた貨幣の合計金額とを比較する合計比較処理により前記判定を行うことを特徴とする。
【００１７】
また、本発明は、上記発明において、前記判定部は、前記合計比較処理の結果、両者が一致しない場合にのみ、前記貨幣処理部で取得した各貨幣の記番号と、前記貨幣情報に含まれる記番号とを比較する記番号比較処理を行うことを特徴とする。
【００１８】
また、本発明は、貨幣処理方法であって、第１貨幣処理装置で複数取引分の貨幣を処理し、各貨幣を特定する貨幣特定情報を複数含むとともに、前記各貨幣が属する取引を特定する取引特定情報を複数含み、同一データとして、異なる前記取引特定情報単位で、異なる貨幣の貨幣特定情報が前記取引特定情報を介して互いに関連付けられている貨幣情報を生成する情報生成工程と、前記貨幣情報と、前記第１貨幣処理装置で処理された前記複数取引分の貨幣を第２貨幣処理装置で識別計数して得られた貨幣の識別計数結果とに基づいて、前記第２貨幣処理装置で識別計数した前記複数取引分の貨幣が、前記第１貨幣処理装置で処理された前記複数取引分の貨幣と一致するとみなせるか否かを判定する判定工程とを含んだことを特徴とする。
【００１９】
また、本発明は、上記発明において、前記貨幣特定情報は貨幣が有する記番号を含み、前記取引特定情報は取引を特定するための取引ＩＤを含み、前記情報生成工程は、前記同一データとして、異なる前記取引ＩＤ単位で、異なる貨幣の記番号が前記取引ＩＤを介して互いに関連付けられている前記貨幣情報を生成する工程であることを特徴とする。
【発明の効果】
【００２０】
本発明によれば、例えば、紙幣の移送元である店舗では、第１紙幣処理装置を利用して入金処理された紙幣の金種及び記番号を紙幣情報として入金処理別（取引別）に管理して、紙幣の移送先である現金回収センターでは、第２紙幣処理装置を利用して店舗から移送された紙幣を識別計数して、得られた識別計数結果が、移送元で作成された紙幣情報と一致するか否かによって、移送された紙幣が第１紙幣処理装置で処理されたものとみなせるか否かを判定することができる。判定時には、例えば、店舗で入金処理された紙幣の合計金額と、現金回収センターへ移送された紙幣の合計金額とが一致すれば、紙幣の金種や合計枚数によらず、現金回収センターへ移送された紙幣は店舗で入金処理された紙幣と一致するとみなすことができる。また、例えば、店舗で入金処理された紙幣の合計枚数と、現金回収センターへ移送された紙幣の合計枚数とが一致すれば、現金回収センターへ移送された紙幣は店舗で入金処理された紙幣と一致するとみなすことができる。
【００２１】
また、本発明によれば、紙幣情報から算出した合計金額（又は合計枚数）と、第２紙幣処理装置で識別計数して得られた合計金額（又は合計枚数）とが一致しない場合にのみ、一致しない原因を調査するために、第１紙幣処理装置で取得された各紙幣の記番号と、第２紙幣処理装置で取得した各紙幣の記番号とを比較する処理が行われるので、記番号を比較する処理を常に行う場合に比べて処理負荷を軽減することができる。
【００２２】
また、本発明によれば、紙幣の記番号が取引別に管理されているので、店舗で作成された紙幣情報に含まれる記番号と、現金回収センターで取得した記番号とを比較して、一方にしか含まれない記番号を特定して報知することができるので、店舗での入金処理後に失われた紙幣、及び入金処理後に混入した紙幣を特定して、この紙幣の処理に係る経緯を調査することができる。
【図面の簡単な説明】
【００２３】
【図１】図１は、本実施形態に係る紙幣処理システムの構成及び処理の概要を示す模式図である。
【図２】図２は、店舗に設置された第１紙幣処理システムの構成例を示すブロック図である。
【図３】図３は、現金回収センターに設置された第２紙幣処理システムの構成例を示すブロック図である。
【図４】図４は、第１端末で管理される紙幣情報の例を示す図である。
【図５】図５は、現金回収センターで行われる紙幣処理の流れを示すフローチャートである。
【図６】図６は、店舗から現金回収センターへ紙幣情報を送る他の態様を例示した図である。
【発明を実施するための形態】
【００２４】
以下に、添付図面を参照して、本発明に係る貨幣処理システム及び貨幣処理方法について説明する。貨幣は紙幣及び硬貨を含み、本発明に係る貨幣処理には、小売店の店舗、金融機関、交通機関などで、多くの貨幣を計数する処理、回収する処理、移送する処理、整理する処理等が含まれる。以下では、小売店の店舗で複数のキャッシュレジスタ（以下「レジ」と記載する）から回収した紙幣を、現金回収センターに移送する場合を例に説明することとする。
【００２５】
まず、図１〜図３を参照しながら紙幣処理システムの構成について説明する。図１は、本実施形態に係る紙幣処理システムの構成及び処理の概要を示す模式図である。紙幣処理システムは、店舗１に構築された第１紙幣処理システムと、現金回収センター２に構築された第２紙幣処理システムとによって構成されている。店舗１に構築された第１紙幣処理システムは、第１紙幣処理装置１０、第１端末２０及びバーコードプリンタ３０によって構成されている。また、現金回収センター２に構築された第２紙幣処理システムは、第２紙幣処理装置１１０（貨幣処理部）、第２端末１２０（判定部）及びバーコードリーダ１３０によって構成されている。
【００２６】
図２は、店舗１に設置された第１紙幣処理システム３０１の構成例を示すブロック図である。第１紙幣処理装置１０は、操作表示部１１、識別部１２、紙幣処理部１３及び制御部１４を有している。
【００２７】
操作表示部１１は、各種の処理及び設定を行うための情報入力と、各種の情報を表示する情報出力とを行う機能を有する。識別部１２は、紙幣の金種、真偽、正損等を識別する機能を有する。紙幣処理部１３は、ホッパに載置された多数の紙幣を１枚ずつ装置内に繰り出して、装置内の搬送路を識別部１２へ向けて搬送し、識別部１２で金種等を識別できた正常な紙幣をスタッカへ排出して集積すると共に、識別できない紙幣、偽券と識別された紙幣等をリジェクト紙幣としてリジェクト部へ排出する機能を有する。なお、図１に外観を示したホッパ、スタッカ及びリジェクト部を１つずつ有する第１紙幣処理装置１０で行われる紙幣処理は、従来知られている技術であるため、詳細は省略する。
【００２８】
制御部１４は、操作表示部１１による情報入力、操作表示部１１への情報出力、識別部１２及び紙幣処理部１３の制御等を行う機能を有している。また、制御部１４は、第１紙幣処理装置１０で紙幣処理を行って得られた紙幣の識別計数結果、記番号、紙幣処理に関する情報等を第１端末２０に出力する機能を有する。なお、記番号とは各紙幣を識別するために、各紙幣に印刷されている貨幣番号（識別番号）で、記番号により各紙幣を区別することができる。
【００２９】
第１紙幣処理装置１０に接続された第１端末２０は、例えばコンピュータ装置によって構成され、操作表示部２１、制御部２２及び記憶部２３を有する。第１端末２０では、制御部２２が、第１紙幣処理装置１０から入力された紙幣の識別計数結果や記番号等の情報を、取引別に、記憶部２３に保存して管理する。
【００３０】
第１端末２０に接続されたバーコードプリンタ３０は、２次元バーコード２２０を印刷する機能を有する。店舗１から現金回収センター２へ紙幣を移送する際に、移送する全ての紙幣の金種、記番号等の情報を含む２次元バーコード２２０がバーコードプリンタ３０によって印刷される。
【００３１】
図３は、現金回収センター２に設置された第２紙幣処理システム３０２の構成例を示すブロック図である。第２紙幣処理装置１１０は、操作表示部１１１、識別部１１２、紙幣処理部１１３及び制御部１１４を有している。
【００３２】
操作表示部１１１は、各種の処理及び設定を行うための情報入力と、各種の情報を表示する情報出力とを行う機能を有する。識別部１１２は、紙幣の金種、真偽、正損等を識別する機能を有する。紙幣処理部１１３は、ホッパに載置された多数の紙幣を１枚ずつ装置内に繰り出して、装置内の搬送路を識別部１１２へ向けて搬送し、識別部１１２で金種等を識別できた正常な紙幣を複数のスタッカに金種別に分類して集積すると共に、識別できない紙幣、偽券と識別された紙幣等をリジェクト紙幣としてリジェクト部へ排出する機能を有する。なお、図１に外観を示したホッパ、リジェクト部及び複数のスタッカを有する第２紙幣処理装置１１０で行われる紙幣処理は、従来知られている技術であるため、詳細は省略する。
【００３３】
制御部１１４は、操作表示部１１１による情報入力、操作表示部１１１への情報出力、識別部１１２及び紙幣処理部１１３の制御等を行う機能を有している。また、制御部１１４は、第２紙幣処理装置１１０で紙幣処理を行って得られた紙幣の識別計数結果、記番号、紙幣処理に関する情報等を第２端末１２０に出力する機能を有する。
【００３４】
第２紙幣処理装置１１０に接続された第２端末１２０は、例えばコンピュータ装置によって構成され、操作表示部１２１、制御部１２２及び記憶部１２３を有する。第２端末１２０では、制御部１２２が、第２紙幣処理装置１１０から入力された紙幣の識別計数結果や記番号等の情報を記憶部１２３に保存して管理する。
【００３５】
また、第２端末１２０では、制御部１２２が、店舗１の第１紙幣処理装置１０を利用して入金された全ての紙幣が、現金回収センター２へ移送されたか否かを検証する機能を有する。第２端末１２０では、検証方法を設定できるようになっている。例えば、店舗１で入金された紙幣の合計枚数と、現金回収センター２へ移送された紙幣の合計枚数とが一致するか否かを検証して、両者が一致すれば店舗１から現金回収センター２へ全ての紙幣が移送されたと判定するよう設定することができる。また、例えば、店舗１で入金された紙幣の合計金額と、現金回収センター２へ移送された紙幣の合計金額とが一致するか否かを検証して、両者が一致すれば店舗１から現金回収センター２へ全ての紙幣が移送されたと判定するよう設定することができる。また、例えば、店舗１で入金された各紙幣の記番号と、現金回収センター２へ移送された各紙幣の記番号とが一致するか否かを検証して、全ての記番号が一致すれば店舗１から現金回収センター２へ全ての紙幣が移送されたと判定するよう設定することもできる。これらの判定処理についての詳細は後述する。
【００３６】
第２端末１２０に接続されたバーコードリーダ１３０は、店舗１のバーコードプリンタ３０で印刷された２次元バーコード２２０を読み取る機能を有する。店舗１から現金回収センター２へ紙幣が移送された際に、移送された全ての紙幣の金種、記番号等の情報を含む２次元バーコード２２０を読み取って、紙幣の金種、記番号等の情報を取得することができる。
【００３７】
次に、図１を参照しながら、店舗１で行われる紙幣処理について説明する。以下では、図１に示すように、店舗１に、第１〜第３レジ係のそれぞれが担当する３台のレジが設置されているものとして説明する。
【００３８】
例えば、店舗１では、各レジを担当するレジ係が交替する際に、各レジ係が、第１紙幣処理装置１０を利用して、担当するレジから回収した紙幣を識別計数する入金処理（紙幣処理）を行う（Ａ１）。入金処理時には、第１紙幣処理装置１０の操作表示部１１、又は第１端末２０の操作表示部２１を操作して、第１〜第３レジ係を識別するためのＩＤ（識別情報）が入力されるようになっている。
【００３９】
なお、ここでは入金処理と呼ぶが、第１紙幣処理装置１０が、識別計数した紙幣を装置内部の収納部に収納することなく、オープンタイプのスタッカに排出する装置である場合には、紙幣を入金するための処理として識別計数処理が行われることになる。入金処理後の紙幣は、店舗１の売上金として保管された後、営業時間終了後等の所定のタイミングで、現金回収センター２へ移送される。また、第１〜第３レジ係のＩＤの入力は、操作表示部１１、２１を利用して手入力する態様に限定されず、第１端末２０に接続された図示しないカードリーダに、ＩＤ等の識別情報を有する従業員カード等を読ませて入力する態様であってもよい。
【００４０】
第１レジ係が、第１紙幣処理装置１０の操作表示部１１を操作して、担当するレジから回収した紙幣束２０１の処理を開始する。装置内では、識別部１２によって紙幣束２０１に含まれる各紙幣の金種等が識別される。また、識別部１２で撮像された各紙幣の画像を利用して、文字認識処理により、各紙幣の記番号が取得される。第１紙幣処理装置１０で取得された各紙幣の金種及び記番号は、制御部１４によって、第１端末２０に入力される。なお、本実施形態で言う紙幣束とは複数の紙幣を示しており、例えば、紙幣束２０１は、レジから回収した複数の紙幣２０１を示している。
【００４１】
第１紙幣処理装置１０では、入金処理対象の紙幣の中に、金種や真偽を識別できない紙幣がある場合には、この紙幣の金種等の情報を、操作表示部１１を操作して入力できるようになっている。手入力された紙幣の情報は、識別部１２による他の紙幣の識別計数結果と共に第１端末２０へ入力されるが、識別部１２によって得られた識別計数結果と、操作表示部１１を操作して手入力された識別計数結果とは、区別可能に管理される。
【００４２】
第１端末２０では、制御部２２が、レジ係のＩＤ、第１紙幣処理装置１０で行われた各取引を区別するための識別番号、紙幣束２０１に含まれていた紙幣の金種、記番号等を関連付けて、紙幣情報（貨幣情報）として管理する。紙幣情報は、第１端末２０の記憶部２３に保存して管理される（図１のＡ２）。第１紙幣処理装置１０で識別計数されて記番号を取得された紙幣束２０１は、店舗１から現金回収センター２へ移送するため、紙幣運搬用の箱や袋等の紙幣容器２１０に詰められる（Ａ３）。
【００４３】
同様に、第２レジ係が、第１紙幣処理装置１０により、担当するレジから回収した紙幣束２０２を入金する入金処理を行うと、この紙幣束２０２に含まれる各紙幣の金種、記番号等の情報が取得され、第１端末２０で紙幣情報として管理される。また、第３レジ係が、第１紙幣処理装置１０により、担当するレジから回収した紙幣束２０３を入金する入金処理を行うと、この紙幣束２０３に含まれる各紙幣の金種、記番号等が取得され、第１端末２０で紙幣情報として管理される。店舗１で入金処理を終えた紙幣束２０１〜２０３は同じ紙幣容器２１０に詰められるが、このとき紙幣容器２１０内で紙幣束２０１〜２０３を区別できるように詰める必要はなく、各紙幣束２０１〜２０３に含まれる紙幣が紙幣容器２１０内で混合された状態となっても構わない。このため、紙幣容器２１０は、内部に収納された紙幣が混ざらないように構成された、紙幣専用の容器である必要はなく、例えば、布製の袋や鞄を紙幣容器２１０として利用することができる。なお、紙幣が混合された状態とは、複数の取引の紙幣（紙幣束２０１〜２０３）をバラバラの状態で袋詰めしたような状態、束状態に集積されているが取引毎にまとめて集積されていない状態、取引毎にまとめて集積されているが複数の取引が一緒に束ねられ、取引毎の区切りがない状態等を含み、紙幣が取引毎に区別できない状態を言う。
【００４４】
図４は、第１端末２０で管理される紙幣情報の例を示す図である。図４に示すように、紙幣情報には、第１紙幣処理装置１０が設置されている店舗１を識別するための店舗番号と、第１〜第３レジ係によって行われる各紙幣束２０１〜２０３の入金処理を一取引として各取引を区別するために付与された取引番号と、各取引で処理された各紙幣束２０１〜２０３に含まれていた紙幣の金種及び記番号とが含まれている。なお、図４は中国紙幣を処理した場合の例を示しており、金種の項目にある「１００」は１００元の紙幣、「５０」は５０元の紙幣を示している。
【００４５】
図４の例は、店舗１を識別する店舗番号が「Ａ００１」であることを示している。取引番号は、取引（入金処理）を実行したレジ係を特定できるように作成されるが、図４の例では、日付を示す数字と入金処理を行った第１〜第３各レジ係を識別するＩＤである「Ｃ０１」〜「Ｃ０３」とを結合して作成されている。この紙幣情報から、ＩＤが「Ｃ０１」の第１レジ係によって入金された紙幣の中に、記番号「ＡＢ…」の１００元紙幣、記番号「ＸＹ…」の５０元紙幣等が含まれていたことが分かる。また、ＩＤが「Ｃ０２」の第２レジ係によって入金された紙幣の中に記番号「ＣＤ…」の１００元紙幣が含まれ、ＩＤが「Ｃ０３」の第３レジ係によって入金された紙幣の中に記番号「ＥＦ…」の１００元紙幣が含まれていたことが分かる。
【００４６】
このように、紙幣情報から、店舗１で各レジ係によって入金された全ての紙幣の金種及び記番号を認識したり、合計金額及び合計枚数を算出したりすることができる。また、紙幣の記番号に基づいて紙幣情報を参照すれば、この紙幣が処理された店舗、取引日時、及び取引を行ったレジ係を特定することができる。
【００４７】
紙幣容器２１０に全ての紙幣２０１〜２０３を詰めて、現金回収センター２への移送の準備を完了すると、第１端末２０の操作表示部２１を操作して、紙幣容器２１０に詰められた全ての紙幣２０１〜２０３の紙幣情報を含む２次元バーコード２２０を作成して、これをバーコードプリンタ３０によって印刷する（図１のＡ４）。具体的には、図４に示す紙幣情報を含む２次元バーコード２２０が作成される。すなわち２次元バーコード２２０は、これを読み取ることによって、図４に示す店舗番号、取引番号、各取引番号に含まれる金種及び記番号を取得できるように作成される。
【００４８】
店舗１の営業時間の終了後等、所定のタイミングで、店舗１から現金回収センター２へ移送する紙幣２０１〜２０３を詰めた紙幣容器２１０と２次元バーコード２２０とを準備した後、２次元バーコード２２０を付した紙幣容器２１０が、店舗１から現金回収センター２へ移送される（図１のＢ１）。
【００４９】
２次元バーコード２２０を紙幣容器２１０に付す方法は特に限定されないが、例えば、紙幣容器２１０に２次元バーコード２２０を印刷した紙片を貼り付けたり、紙幣容器２１０にくくり付けたケース内に２次元バーコード２２０を印刷した紙片を入れたりするなどして、現金回収センター２で紙幣容器２１０から取り出した紙幣を処理する際に、すぐに２次元バーコード２２０から情報を読み取ることができる態様とする。
【００５０】
次に、図１及び図５を参照しながら、現金回収センター２で行われる紙幣処理について説明する。図５は、現金回収センター２で行われる紙幣処理の流れを示すフローチャートである。現金回収センター２に、紙幣容器２１０及び２次元バーコード２２０が運び込まれると、第２端末１２０に接続されたバーコードリーダ１３０を利用して、２次元バーコード２２０を読み取り、紙幣情報を取得する処理が行われる（ステップＳ１）。
【００５１】
第２端末１２０では、読み取った２次元バーコード２２０から図４に示す紙幣情報を再現して、記憶部１２３に保存する処理が行われる。紙幣容器２１０に詰められた全ての紙幣の金種及び枚数を含む紙幣情報が得られると、第２端末１２０の制御部１２２は、紙幣容器２１０に詰められた紙幣２０１〜２０３の合計金額を算出する（ステップＳ２）。
【００５２】
一方、第２紙幣処理装置１１０では、紙幣容器２１０に詰められていた紙幣２０４の処理が行われる（ステップＳ３）。紙幣容器２１０には、店舗１で回収された全ての紙幣２０１〜２０３が、レジ毎に区別できない混合状態で詰められている。ただし、現金回収センター２に移送されてきた段階では、実際に全ての紙幣２０１〜２０３が詰められているか否かを検証できておらず、第１紙幣処理装置１０を利用して処理されたとされる紙幣２０４と、実際に入金された紙幣２０１〜２０３とが異なる可能性がある。具体的には、例えば、移送の前段階又は移送中に、紙幣２０１〜２０３の一部の紙幣が抜き取られたり、無関係な紙幣が混入したりしている可能性がある。
【００５３】
第２紙幣処理装置１１０では、第１紙幣処理装置１０で処理されたとされる複数取引分の紙幣２０４が、実際に前記第１紙幣処理装置１０で処理された複数取引分の紙幣２０１〜２０３と一致するとみなせるか否かを判定するため、紙幣容器２１０から取り出された全ての紙幣２０４を識別計数すると共に、各紙幣の記番号を取得する。このとき、第２紙幣処理装置１１０のホッパには、店舗１のレジ毎、すなわち取引毎の紙幣２０１〜２０３を区別できない混合状態で紙幣が載置される。そして、ホッパから１枚ずつ装置内に繰り出されて、取引毎に区別せずに識別計数された紙幣２０４は、複数のスタッカに金種別に分類して集積される。こうして、図１に示すように、紙幣容器２１０に詰められていた混合状態の紙幣２０４から、金種別に分類した紙幣２０５を得ることができる。
【００５４】
第２紙幣処理装置１１０で得られた紙幣の識別計数結果、記番号等の情報は、第２端末１２０に入力され、記憶部１２３に保存される。第２紙幣処理装置１１０での紙幣処理を終えると、第２端末１２０の制御部１２２は、紙幣容器２１０に詰められていた全ての紙幣２０４の合計金額を算出する（ステップＳ４）。なお、第２紙幣処理装置１１０から入力された識別計数結果に合計金額が含まれている場合には、これを利用して、合計金額の算出処理は省略する。
【００５５】
そして、制御部１２２は、２次元バーコード２２０を読み取って紙幣情報から算出した紙幣２０１〜２０３の合計金額と、第１紙幣処理装置１０で入金されたとされる紙幣２０４を紙幣容器２１０から取り出して識別計数して得られた合計金額とを比較する（ステップＳ５）。すなわち、店舗１の第１紙幣処理装置１０で入金処理された全ての紙幣２０１〜２０３の合計金額と、紙幣容器２１０に詰めて現金回収センター２に移送され、第２紙幣処理装置１１０で処理された紙幣２０４の合計金額とを比較して、一致するか否かを検証する。
【００５６】
合計金額が一致した場合には（ステップＳ５；Ｙｅｓ）、第２端末１２０の制御部１２２は、店舗１の第１紙幣処理装置１０を利用して入金された全ての紙幣２０１〜２０３が、店舗１から現金回収センター２へ移送されたと判定して処理を終了する。
【００５７】
なお、店舗１で入金された紙幣２０１〜２０３の合計金額と、現金回収センター２で処理された紙幣２０４の合計金額とが一致する場合でも、実際に店舗１の第１紙幣処理装置１０で処理された紙幣２０１〜２０３の金種及び枚数と、現金回収センター２の第２紙幣処理装置１１０で処理された紙幣２０４の金種及び枚数とが一致しない可能性がある。このような場合でも、第２端末１２０では、第１紙幣処理装置１０で処理されたとされる複数取引分の紙幣２０４は、第１紙幣処理装置１０で実際に処理された複数取引分の紙幣２０１〜２０３と一致するとみなされる。これにより、例えば、店舗１で、第１紙幣処理装置１０で処理された紙幣２０１の一部が両替等によって異なる金種及び枚数の紙幣と入れ替えられていた場合でも、現金回収センター２で、合計金額のみに基づく判定を行うことで、店舗１から現金回収センター２への紙幣の移送に問題はないと判定することができる。
【００５８】
ただし、店舗１で処理された紙幣２０１〜２０３と、現金回収センター２へ移送された紙幣２０４とが一致するか否かを検証する方法については、設定により変更できるようになっている。例えば、店舗１で処理された紙幣２０１〜２０３の合計枚数と、現金回収センター２へ移送された紙幣２０４の合計枚数とが一致するか否かを検証して、両者が一致すれば、合計金額の一致を確認する処理を行うことなく、店舗１から現金回収センター２へ全ての紙幣が移送されたとみなすよう設定することもできる。また、例えば、店舗１で処理された紙幣２０１〜２０３の記番号と、現金回収センター２へ移送された紙幣２０４の記番号とが一致するか否かを検証して、全ての記番号が一致した場合にのみ、店舗１から現金回収センター２へ全ての紙幣が移送されたとみなすよう設定することもできる。
【００５９】
紙幣情報から算出した紙幣２０１〜２０３の合計金額と、紙幣容器２１０から取り出した紙幣２０４を識別計数して得られた合計金額との比較処理を行って、両者が一致しない場合には（ステップＳ５；Ｎｏ）、第２端末１２０の制御部１２２は、続いて、２次元バーコード２２０を読み取って紙幣情報から得た紙幣２０１〜２０３の記番号と、紙幣容器２１０から取り出した紙幣２０４を処理して得られた記番号とを比較する処理を行う（ステップＳ６）。すなわち、店舗１の第１紙幣処理装置１０で入金処理された全ての紙幣２０１〜２０３の記番号と、紙幣容器２１０から取り出して第２紙幣処理装置１１０で処理された全ての紙幣２０４の記番号とが一致するか否かを検証する。記番号を比較する処理の処理結果が得られると、制御部１２２は、第２端末１２０の操作表示部１２１に比較結果を表示して（ステップＳ７）、処理を終了する。
【００６０】
第２端末１２０では、紙幣情報に含まれていた紙幣２０１〜２０３の記番号と、第２紙幣処理装置１１０で取得した紙幣２０４との記番号とを比較して、両者の間で一致しない記番号が含まれている場合には、これを報知する処理が行われる。
【００６１】
例えば、店舗１で入金された際に記録された記番号を有する紙幣が、現金回収センター２で処理された紙幣２０４の中に含まれていなかった場合には、第２端末１２０の制御部１２２は、この不足紙幣の記番号を操作表示部１２１に表示する報知処理を行う。また、制御部１２２は、この不足紙幣の記番号に基づいて、記憶部１２３に保存した、図４に示す紙幣情報を参照して、店舗番号、取引番号及び金種を操作表示部１２１に表示する。これにより、店舗番号と、取引番号に含まれるレジ係のＩＤ情報とに基づいて、不足紙幣を処理した店舗１及びレジ係を特定することができるので、不足紙幣の処理状況やその後の経緯を調査確認することが可能となる。
【００６２】
また、例えば、店舗１で入金された際に記録されていない記番号を有する紙幣が、現金回収センター２で処理された紙幣２０４の中に含まれていた場合には、制御部１２２は、この紙幣は、店舗１での入金処理後に紛れ込んだ混入紙幣であると判断して、混入紙幣の記番号及び金種を操作表示部１２１に表示する報知処理を行う。
【００６３】
例えば、店舗１で、入金処理後の紙幣を利用して無断で両替が行われていた場合に、不足紙幣と混入紙幣とを比較して、両替された紙幣と紛失した紙幣とを推定することができる。日本紙幣を利用して具体的に説明すると、例えば、現金回収センター２で１万円札が１枚、５千円札が１枚、計２枚の不足紙幣がありかつ千円札１０枚の混入紙幣がある場合には、１枚の１万円札から千円札１０枚への両替が行われたものと推測できる。そして、これに伴い５千円札を紛失したものと推測することができる。これにより、両替と５千円札の紛失とを考慮して、紙幣処理の経緯を調査することができる。同様に、千円札が１０枚、５千円札が１枚、計１１枚の不足紙幣と１枚の一万円札の混入紙幣とがある場合にも、１０枚の千円札が一万円札に両替されたものと推測して、両替及び５千円の紛失を考慮した追跡調査が可能となる。なお、ステップＳ５の処理で、紙幣情報から算出した紙幣２０１〜２０３の合計金額と、第１紙幣処理装置１０で識別計数して得られた合計金額とが一致した場合であっても、両替の有無を確認するために、このような記番号の比較処理を利用することができる。
【００６４】
第２紙幣処理装置１１０では、紙幣容器２１０から取り出した紙幣２０４を識別して、複数のスタッカに金種別に分類して収納する処理を行う際に、２次元バーコード２２０から取得した紙幣情報に基づいて、金種と各スタッカとの対応を自動的に設定できるようになっている。紙幣情報には、処理対象となる複数の紙幣２０４について、金種、金種別の枚数、合計枚数等を特定可能な情報が含まれている。これを利用して、第２紙幣処理装置１１０の制御部１２２は、例えば、枚数の少ない金種の紙幣は１つのスタッカに集積しながら、枚数の多い金種の紙幣は２つのスタッカに集積するようにスタッカへの金種割当を自動的に設定する。また、例えば、第２紙幣処理装置１１０で、所定枚数の紙幣が集積される度に新たな紙幣の集積を中断して、集積された所定枚数の紙幣を抜き取った後に紙幣の集積を再開するバッチ処理が行われる場合には、枚数が多く、抜き取り回数が多くなる金種の紙幣を、第２紙幣処理装置１１０を操作する操作者が抜き取りやすいスタッカに集積するように設定する。具体的には、バッチ処理の実行中に、操作表示部１２１の操作やホッパへの紙幣の載置作業を行う操作者に近い位置にあるスタッカに枚数の多い紙幣が集積されるようにして、枚数が少ないほど遠い位置にあるスタッカに集積されるように設定する。また、第２端末１２０の制御部１２２が、各スタッカへの金種の割り当てを複数パターン作成して操作表示部１２１に表示して、操作者に選択させることもできる。例えば、複数のスタッカがある場合に、制御部１２２は、処理される紙幣の金種及び枚数、ホッパから各スタッカまでの紙幣の搬送距離、搬送速度等に基づいて、複数パターンのそれぞれについて、ホッパに載置された全ての紙幣をスタッカに分類集積するまでに必要な処理時間を予測する。そして、制御部１２２は、操作表示部１２１上に、複数のパターンと各パターンでの処理時間の予測結果とを表示して、操作者にパターンを選択させる。操作者は、操作表示部１２１上に表示された情報を確認して検討し、例えば、使い慣れた金種割当のパターンを選択したり、処理時間が短縮できることを考慮して異なる金種割当のパターンを選択したりすることができる。
【００６５】
また、第２紙幣処理装置１１０では、紙幣容器２１０から取り出した紙幣２０４を識別して、複数のスタッカに金種別に分類して収納する処理を行う際に、２次元バーコード２２０から取得した紙幣情報に基づいて、紙幣の識別精度を自動的に変更するよう設定することも可能となっている。具体的には、第１紙幣処理装置１０の識別性能に関する情報、紙幣の識別結果に関する情報等を紙幣情報に含めるように設定して、第２紙幣処理装置１１０では、紙幣情報から取得した情報を利用して、第２紙幣処理装置１１０の識別精度を自動設定する。例えば、第１紙幣処理装置１０が第２紙幣処理装置１１０と同等の識別機能を有する場合に、既に第１紙幣処理装置１０で識別された紙幣を再度識別することになるため、第２紙幣処理装置１１０では識別精度を下げるように、すなわち識別に係る判断を甘くするように自動設定する。また、例えば、第１紙幣処理装置１０で真の紙幣であると識別された紙幣を、第２紙幣処理装置１１０で処理する場合に、真偽識別を省略するように設定することもできる。このとき、例えば、第１紙幣処理装置１０で識別部１２による機械識別が行えず、金種情報や記番号が手入力された紙幣がある場合には、識別精度を下げないように条件を設定することもできる。また、例えば、第１紙幣処理装置１０で落書き等の紙幣の汚れが検出されていた場合には、第２紙幣処理装置１１０では、汚れを高精度に検出できるように識別精度を高めるように、すなわち識別に係る判断を厳しくするように自動設定することもできる。なお、識別精度の設定は、処理毎に行う態様に限られず、紙幣単位で変更することもできる。例えば、第１紙幣処理装置１０で情報が手入力された紙幣や汚れが検出された紙幣を、第２紙幣処理装置１１０で読み取った記番号に基づいて特定して、これらの紙幣でのみ、他の紙幣に比べて識別精度を高くするように設定することができる。また、例えば、第２紙幣処理装置１１０で取得した紙幣の記番号が、第１紙幣処理装置１０で処理された記番号に含まれていない場合にのみ、真偽等の識別精度を高くして、第１紙幣処理装置１０で識別済みの紙幣に比べて厳しい基準で判定するように自動設定することもできる。同様に、所定条件に一致する紙幣についてのみ、識別精度を自動的に下げるよう設定することもできる。なお、識別精度の設定は、閾値やテンプレート等の判定基準を変更するだけでなく、紙幣の識別精度を高めるために紙幣の繰り出し間隔を長くしたり、紙幣の搬送スピードを遅くしたりするなど、紙幣の搬送制御に関する設定も含む。
【００６６】
図１では、店舗１で入金処理された全ての紙幣２０１〜２０３の金種及び記番号を含む紙幣情報を２次元バーコード２２０として出力する例を示したが、店舗１から現金回収センター２へ紙幣情報を送る態様がこれに限定されるものではない。図６は、店舗１から現金回収センター２へ紙幣情報を送る他の態様を例示した図である。
【００６７】
図６（ａ）は、店舗１に設置された第１紙幣処理システム３０１の第１端末２０と、現金回収センター２に設置された第２紙幣処理システム３０２の第２端末１２０とをネットワーク３１０で接続して、このネットワーク３１０を介して、紙幣情報をデータとして送信する例を示している。この場合は、店舗１から紙幣容器２１０を運び出す際に、紙幣容器２１０に詰められた紙幣２０１〜２０３の紙幣情報に関連付けたデータ番号を作成し、このデータ番号を示すバーコード２２１をバーコードプリンタ３０によって印刷する。そして、第１端末２０は、紙幣容器２１０に詰められた紙幣２０１〜２０３の紙幣情報を、データ番号と関連付けた状態で、第２端末１２０へ向けて送信する。現金回収センター２では、バーコードリーダ１３０によって紙幣容器２１０に付されたバーコード２２１を読み取って、このデータ番号に関連付けられた紙幣情報を特定する。これにより上述したように第２紙幣処理システム３０２による紙幣処理を行うことができる。
【００６８】
図６（ｂ）は、店舗１に設置された第１紙幣処理装置１０が、可搬型記憶媒体２２２に紙幣情報を書き込む機能を有する場合の例を示している。例えば、第１紙幣処理装置１０で、ＵＳＢメモリやメモリカード等の可搬型記憶媒体２２２に紙幣情報を書き込んで、これを紙幣容器２１０に付した状態で、店舗１から現金回収センター２へ移送する。現金回収センター２では、第２端末１２０が、紙幣容器２１０に付された可搬型記憶媒体２２２からデータを読み出すことにより、紙幣容器２１０に詰められた紙幣２０１〜２０３の紙幣情報を取得して、上述したように第２紙幣処理システム３０２による紙幣処理を行うことができる。
【００６９】
なお、図２、図３及び図６に示したシステム構成については、複数の装置の機能を１つの装置によって実現する態様であってもよい。例えば、第１紙幣処理装置１０が、第１端末２０及びバーコードプリンタ３０のいずれか１つ又は両方の機能を兼ねるものであってもよいし、同様に、第２紙幣処理装置１１０が第２端末１２０及びバーコードリーダ１３０のいずれか１つ又は両方の機能を兼ねるものであってもよい。
【００７０】
また、本実施形態では、紙幣を例に挙げて各処理を説明したが、上述した処理は、硬貨についても同様の形態で実施することができる。例えば、各硬貨を識別するための貨幣番号（識別番号）を硬貨に刻印したり、貨幣番号を記録したＩＣチップ等の情報記録担体を各硬貨に埋め込んだりするなどして、記番号によって各紙幣を区別するのと同様に、貨幣番号によって各硬貨を区別することができれば、硬貨についても、硬貨から読み取った貨幣番号を利用して上述した各処理を実施して同様の効果を得ることができる。すなわち、第１紙幣処理装置１０を含む第１紙幣処理システム３０１、第２紙幣処理装置１１０を含む第２紙幣処理システム３０１のそれぞれを、第１貨幣処理装置１０を含む第１貨幣処理システム３０１、第２貨幣処理装置１１０を含む第２貨幣処理システム３０２として、紙幣に代えて又は加えて硬貨を処理対象とする態様とすることも可能である。
【００７１】
また、本実施形態では、店舗１で入金処理を終えた紙幣束２０１〜２０３に含まれる紙幣が混合された状態で現金回収センター２へ移送されるものとしたが、店舗１で入金処理を終えた紙幣束２０１〜２０３に含まれる紙幣が取引毎に区別された状態で現金回収センター２へ移送される場合であっても、本実施形態に係る技術を利用することができる。具体的には、取引毎に区別された状態で移送された複数取引分の紙幣を、取引毎に区別せずに識別計数して、店舗１の第１紙幣処理装置１０で入金処理を行って作成した紙幣情報と、現金回収センター２の第２紙幣処理装置１１０で識別計数して得られた識別計数結果とに基づいて、前述した比較処理や追跡処理等の各処理を行うことができる。このような利用態様であっても、現金回収センター２での紙幣処理において、例えばヘッダカードを用いて取引毎に区別して計数する処理等、煩雑な作業が不要となる。
【００７２】
上述したように、本実施形態によれば、第１紙幣処理システム３０１を利用して、店舗１で処理された全ての紙幣２０１〜２０３の金種及び記番号を含む紙幣情報を作成することができる。そして、店舗１から現金回収センター２へ紙幣を移送する際には、バーコードに含まれるデータ、ネットワーク上のデータ、可搬型記憶媒体に保存されたデータ等の形で、紙幣情報を現金回収センター２へ送ることができる。
【００７３】
現金回収センター２では、第２紙幣処理システム３０２を利用して、店舗１から現金回収センター２へ移送されてきた紙幣２０４を識別計数して合計金額を算出し、紙幣情報から算出した紙幣２０１〜２０３の合計金額と比較することにより、店舗１で入金処理された金額分の紙幣２０４が現金回収センター２へ移送されたことを確認することができる。また、合計金額が一致しない場合には、紙幣の記番号に基づいて、入金処理後に失われた不足紙幣や、入金処理後に混入された混入紙幣を特定することができる。また、不足紙幣を入金した取引に関する情報や、混入紙幣の金種及び記番号等が報知されるので、これらの情報に基づいて紙幣処理の経緯を調査確認することができる。
【００７４】
また、これらの処理を紙幣の記番号を利用して行うことができるので、ヘッダカードを準備する必要がなく、容易に作業を進めることができる。また、店舗１で行われた各取引を紙幣の記番号に基づいて区別することができるので、ヘッダカードを利用する場合のように、取引別に紙幣をまとめてヘッダカードと共に管理したり、他の取引の紙幣と混ざらないように紙幣容器２１０に紙幣を詰めたりする必要がなく、容易に作業を進めることができる。
【産業上の利用可能性】
【００７５】
以上のように、本発明に係る貨幣処理システム及び貨幣処理方法は、金融機関や商業施設等の店舗から回収する貨幣を容易に処理するために有用な技術である。
【符号の説明】
【００７６】
１  店舗
２  現金回収センター
１０  第１紙幣処理装置（第１貨幣処理装置）
１１、２１、１１１、１２１  操作表示部
１２、１１２  識別部
１３、１１３  紙幣処理部（貨幣処理部）
１４、２２、１１４、１２２  制御部
２０  第１端末
２３、１２３  記憶部
３０  バーコードプリンタ
１１０  第２紙幣処理装置（第２貨幣処理装置）
１２０  第２端末（判定部）
１３０  バーコードリーダ
２２２  可搬型記憶媒体
３０１  第１紙幣処理システム（第１貨幣処理システム）
３０２  第２紙幣処理システム（第２貨幣処理システム）
【図１】
0006518059.tif 000002
【図２】
0006518059.tif 000003
【図３】
0006518059.tif 000004
【図４】
0006518059.tif 000005
【図５】
0006518059.tif 000006
【図６】
0006518059.tif 000007